(57)【要約】      （修正有）【課題】送風装置の回転羽根の回転軸を起立させて、送風方向を被服内に形成される送風路の方向に一致させる空調被服及び送風装置の固定具を提供する。【解決手段】空調被服は、被服、及び、被服の外側に開口した空気取入口３ａと、被服の内側に開口した空気排出口３ｂと、空気取入口と空気排出口との間に配置される羽根３ｅと、羽根を駆動させる駆動装置３ｄを有して、外気を送風路７を通して被服内に送風する送風装置３とを有し、送風装置は、被服を使用者が装着した際に羽根の回転軸３ｘが上下方向に起立させた状態に位置決めされ、空気排出口が上方に開口する。【選択図】図２
0003214787.tif 000002
【実用新案登録請求の範囲】
【請求項１】
被服、及び、前記被服の外側に開口した空気取入口と、前記被服の内側に開口した空気排出口と、前記空気取入口と前記空気排出口との間に配置される羽根と、前記羽根を駆動させる駆動部を有して、外気を前記被服内に送風する送風装置とを有する空調被服であって、前記送風装置は、前記被服を使用者が装着した際に、前記羽根の回転軸は上下方向に起立させた状態で位置決めされ、前記空気排出口が上方に開口することを特徴とする空調被服。
【請求項２】
前記送風装置は、縦長の円筒形状の本体を有することを特徴とする、請求項１記載の空調被服。
【請求項３】
前記送風装置は、前記空気排出口に所定長さを有する排気フードを装着したことを特徴とする請求項１または２記載の空調被服。
【請求項４】
前記排気フードは、前記空気排出口の面積より徐々に大きくなるテーパー断面形状を有する請求項３記載の空調被服。
【請求項５】
前記送風装置は、前記空気取入口に所定長さを有する給気フードを装着したことを特徴とする請求項１乃至４のいずれか記載の空調被服。
【請求項６】
前記送風装置の位置決めは固定具によってなされ、前記固定具は、前記被服の装着者側の、前記送風装置の下部を上方に引き上げるサスペンションベルトを有することを特徴とする請求項１乃至５のいずれか記載の空調被服。
【請求項７】
前記送風装置の位置決めは固定具によってなされ、前記固定具は、前記送風装置の側面を拘束する、前記被服の内側に取り付けられたベルトであることを特徴とする請求項１乃至５のいずれか記載の空調被服。
【請求項８】
前記送風装置の位置決めは固定具によってなされ、前記固定具は前記送風装置を固定する、前記被服に取り付けられたブラケットであることを特徴とする請求項１乃至５のいずれか記載の空調被服。
【請求項９】
前記被服は、背部の内面に水分を保持する保水シートを重ねて張設可能であり、前記送風装置を駆動することにより少なくとも前記被服の内面と前記保水シートの間に前記送風装置からの空気を流通させる送風路を形成することを特徴とする請求項１乃至８記載のいずれか記載の空調被服。
【請求項１０】
被服の外側の空気を取り入れる空気取入口と、前記被服の内側に空気を排出する空気排出口と、前記空気取入口と前記空気排出口との間に配置される羽根と、前記羽根を駆動させる駆動部を有する送風装置のブラケットであって、前記被服を使用者が装着した際、前記羽根の回転軸を上下方向に起立させた状態で位置決めする固定部を有し、前記空気排出口が上方に開口させることを特徴とする送風装置のブラケット。
【請求項１１】
前記送風装置のブラケットは、複数の前記固定具を左右方向に連結する連結部をさらに有することを特徴とする請求項10記載の送風装置のブラケット。
【考案の詳細な説明】
【技術分野】
【０００１】
本考案は、送風装置の回転羽根の回転軸を起立させて、その送風方向を被服内に形成される送風路の方向に一致させる空調被服及び送風装置の固定具に関する。
【背景技術】
【０００２】
野外における高温、高湿度の作業環境を改善するため、送風装置により服内に外気を取り入れて、空調被服と身体の間に空気を流通させることにより、作業環境を改善する空調被服が、近年急速に普及してきている。
【先行技術文献】
【特許文献】
【０００３】
【特許文献１】国内公表2005-06306号
【特許文献２】特開2005-54299号
【０００４】
一般的な空調被服の構成は、特許文献１に開示されるが、本文献に示されるディスクタイプの送風装置は円盤状の形状を有し、被服から外側への突出を防ぐため、送風装置の回転羽根の回転軸を水平方向に位置させるように、平型の送風装置を被服に取り付ける構造を有する。
【０００５】
しかしながら、装着者の身体に、送風装置からの風が直接当たることは、不快に感じることもあるため、特許文献２には、装着者の身体に対して平行な平行風を送風する送風装置を有する空調被服が開示されている。
【考案の概要】
【考案が解決しようとする課題】
【０００６】
上記の特許文献２に開示される空調被服に使用される送風装置は、装着者の背中に空気が直接当たることを避けるために、空気を送る回転羽根の正面に、回転羽根の回転軸に対して垂直にファンガードを設けており、送風装置からの風がこのファンガードで遮蔽される構造となっている。
【０００７】
しかしながら、このような構造は、ファンガードが回転羽根からの空気の速度を落とすことになり、被服内での空気の流通速度を低下させてしまい、冷却効果を損なうという課題も生じる。また、ディスクタイプの送風装置では、その回転軸が装着者の背中に直交する方向に配置されるため、従来の空調被服では、指向性をもった気流を造り出すことができない。このため、被服内側の全体の気圧をあげてしまい、袖などを含めて空調被服全体を膨張させることとなって、作業者の動作を阻害するという課題も生じていた。
【０００８】
そこで、本考案の目的は、被服の背部内側の下部に配置した送風装置から、被服の襟部にかけての送風路に円滑に空気を流すことができ、冷却効果を高めるとともに、空調被服全体が膨張することを防止することができる空調被服を提供することにある。
【課題を解決するための手段】
【０００９】
上記目的を達成するため、本考案の空調被服は、被服、及び、前記被服の外側に開口した空気取入口と、前記被服の内側に開口した空気排出口と、前記空気取入口と前記空気排出口との間に配置される羽根と、前記羽根を駆動させる駆動部を有して、外気を前記被服内に送風する送風装置とを有する空調被服であって、前記送風装置は、前記被服を使用者が装着した際に、前記羽根の回転軸は上下方向に起立させた状態で位置決めされ、前記空気排出口が上方に開口することを特徴とする。
【００１０】
また、上記目的を達成するため、本考案のブラケットは、被服の外側の空気を取り入れる空気取入口と、前記被服の内側に空気を排出する空気排出口と、前記空気取入口と前記空気排出口との間に配置される羽根と、前記羽根を駆動させる駆動部を有する送風装置のブラケットであって、前記被服を使用者が装着した際、前記空気取入口が下方、前記空気排出口が上方に位置し、前記羽根の回転軸を上下方向に起立させた状態で位置決め可能なことを特徴とする。
【考案の効果】
【００１１】
本考案の空調被服または送風装置の固定具によれば、固定具が送風装置を、その回転羽根の回転軸を上下方向に起立させるように保持することができ、送風装置の送風方向を装着者の背中に対して平行とすることができ、被服の下部から襟部にかけて形成される送風路と送風方向を一致させることで、効率よく被服内の空気を入れ替えることができる。
【図面の簡単な説明】
【００１２】
【図１】本考案の第一実施形態の空調被服の構造を示す説明図
【図２】装着者が空調被服を着た状態の、同実施形態の空調被服の側断面図
【図３】装着者が空調被服を着た状態の、同実施形態の空調被服の後方斜視図
【図４】本考案の第二実施形態のファンの構造を示す説明図
【図５】本考案の第三実施形態のファンの構造を示す説明図
【図６】ファンの固定具のバリエーションを示す説明図
【考案を実施するための形態】
【００１３】
＜第一実施形態＞
本考案の第一実施形態を図１乃至図３を用いて説明する。図１(ａ)は、内側を開いた状態の空調被服の正面図であり、同図(ｂ)は、その背面図である。また、図２は、装着者が空調被服を着た状態の側断面図である。
【００１４】
図１(ａ)(ｂ)に示すように、空調被服１は、長袖付の被服であるジャケット部２と、ジャケット部２の背部２ａの下部に取り付けられた左右の送風装置たる、２つのファン３、３とを有する。
【００１５】
ジャケット２は、胸部２ｂの開放部としてファスナー２ｃを装着しており、装着者がジャケット２を着てファスナー２ｃを閉めることで、襟首２ｄ、袖口２ｅを除き空調被服２の服内はある程度の気密を保てる状態となる。
【００１６】
ジャケット２の襟首２ｄには、左右の２点に掛け渡されるブリッジバンド２ｆが取り付けられており、ブリッジバンド２ｆの長さは襟首２ｄ表面の２点間の距離より短く、襟首ｄの２点が寄せられてトンネル２ｇが形成される。
【００１７】
ファン３は、縦長の円筒形状を有し、後述するように、ファン３内の回転羽根の回転軸３ｘを上下方向に起立させた状態でファン固定具４により固定されている。また、ジャケット２の内面には、バッテリー３ｃを保持するポケット２ｈを有しており、コードを介して左右のファン３、３にモータ駆動用の電力を供給している。
【００１８】
ファン３の、下端の空気取入口３ａは、ジャケット２に開口された取付け穴２ｈに嵌めこむように取り付けられることで、空気取入口３ａは、ジャケットの背部２ａの外面に露出する。また、ファン３の上端の空気排出口３ｂは、ジャケット２の背部２aの内面と、保水シート６との間に位置するように固定される。
【００１９】
ジャケット２の背部２ａの下部内面には、それぞれのファン３の位置決め部たるファン固定具４を左右に有しており、このファン固定具４は、ファン３の、前後の側面を固定する拘束布４ａと、同拘束布４ａの装着者側の上端を吊り上げるテンションベルト４ｂにより構成されている。テンションベルト４ｂの上端４ｃは、ジャケット２の肩部に固定されており、また、下端にはクリップ４ｄが取り付けられており、拘束布４ａの一部上端を固定している。
【００２０】
また、後述する保水シート６を、ジャケット２の背面に固定するための留め具５は、ベルト５ａとその一端に固定されたクリップ５ｂから構成される。そして、ジャケット２の背部２aの裏面には、上部左右に留め具５Ａ、５Ｂ、下部左右に留め具５Ｃ、５Ｄが位置するように、ベルト５ａの他端を縫製により固定している。
【００２１】
本実施形態の保水シート６は、本実施形態の保水シート６は、例えばポリエステル製の吸水性に優れた素材で作られたものであって、具体的には商品名「シェイクアンドクール」米国Coolcore社)等の、保水層・蒸発層を有する多層構造のタオル素材を使用することが好適である。この保水シート６の上方左右端６ａ、６ｂを留め具５Ａ、５Ｂのクリップ５ｂに、下方左右端６ｃ、６ｄを留め具５Ｃ、５Ｄのクリップ５ｂにより固定し、ジャケット２の背部２ａに重ねて張設することができる。
【００２２】
次に、図２を用いて、ファン３の固定具４の構造を詳述する。固定具４の拘束片４ａは、共に起立した、第１片部４ａ１、第２片部４ａ２と、これら両部分を下端で水平につなぐ第３片部４ａ３部とから構成される。
【００２３】
拘束布４ａは、ジャケット２の、ファン３の固定具周辺のジャケット２の補強材を兼ねており、第１片部４ａ１、第３片部４ａ３は、ジャケット２の背部２ａ下部内面に重ねた状態で、縫製により固定される。そして、第３片部４ａ３は、ジャケット２の生地とともに、ファン３の取付け穴が開口され、ファン３の重量３を支える補強材としても機能する。
【００２４】
ファン３の円筒状の本体内部には、上に、駆動部である、バッテリー３ｃからの電力により駆動する電動モータ３ｄ、下に、モータ３ｄに連結される羽根３ｅを配置している。
【００２５】
また、拘束布４ａのうち、装着者Ｘ側に位置する第２片部４ａ２は、下端が第３片部４ａ３部に固定され、上端は自由端となっている。そして、上述したように、この第３片部４ａ２の上部は、テンションベルト４ｂの下端のクリップ４ｄに固定されており、第３片部４ａ２はテンションベルト４ｂにより吊り下げられることで、第３片部４ａ３が水平状態に位置決めされる。
【００２６】
さらに、拘束布４ａは、ファン３本体の外周面を拘束する固定ベルト４ｅを有しており、この固定ベルト４ｅは第２片部４ａ２に取り付けられており、ファン３を第２片部４ａ２に一体に固定している。
【００２７】
次に、本実施形態の空調被服の作用効果を、図３を用いて説明する。図３は、装着者が空調被服を着た状態の、空調被服の後方斜視図である。
【００２８】
装着者Ｘがジャケット２を着ると、テンションベルト４ｂの上端４ｄが装着者Ｘの肩によって引き上げられ、結果としてテンションベルト４ｂが第３片部４ａ３を上方に引き上げる。そして、第３片部４ａ３に固定されているファン３の空気取入口３ａが水平状態となることで、空気取入口３ａが下方を向き、空気排出口３ｂが上方を向くことになり、電動モータの駆動軸３ｘが起立する。なお、ここで、起立とは、ジャケット２の背部２aに並行する平面に沿って上下方向に配置されることをいい、垂直のみならず周囲にある程度の角度で傾斜することも含む。
【００２９】
この状態で、装着者Ｘの腰部に位置するファン３を駆動させると、ジャケット２の外気が空気取り入口３ａから取り込まれ、空気排出口３ｂから装着者Ｘの背中に並行する風を送り出す。この空気は、ジャケット２の背部２aを膨らませて、装着者Ｘの背中との間に送風路７を形成する。
【００３０】
そして、ファン３からの空気は、送風路７を通過し、ジャケット２の襟首２ｄに、ブリッジバンド２ｆにより形成されたトンネル２ｇを抜けて、装着者Xの首筋から外へ抜けていく。この際、送風路７に面する保水シート６の表面６ｅに含まれる水分が揮発し、気化熱を奪って、保水シート６の、ひいてはジャケット２の内部の温度を低下させる。
【００３１】
保水シート６は四方６ａ〜６ｄを留め具５Ａ〜５Ｄで固定した状態で、ジャケット２が空気圧で膨らむと、留め具５Ａ〜５Ｄ間の距離も広がるため、保水シート６も四方に張力が掛かってピンと張った状態で張設される。このため、風に接する面が大きくなり、気化熱を効率的に利用することができる。
【００３２】
上述したように、ファン３は上下方向に起立しているために、ジャケット２の下方から上方にかけて形成される送風路７と、ファン３の羽根３ｅによる送風方向が一致することにより、勢いが削がれることなく円滑に風を送ることができる。
【００３３】
このため、本実施形態によれば、送風路７の空気の流通を円滑にし、重ねて保湿シート６の気化熱による冷却効果を高めることができ、もってより効率よくジャケット２の内部を冷却することができる。また、ジャケット２の内部に送風された空気は送風路７を形成して、直進性を持って襟首２ｄから抜けるために、ジャケット２が膨張しづらく、装着する作業員の動きを阻害することを防止することができる。
【００３４】
なお、本実施形態では、ファン３を縦長の円筒形状のものとしたが、ファンの羽根の回転軸３ｘを上下方向に起立させて、被服の上下方向に形成される送風路７と、ファン３の羽根３ｅによる送風方向が一致させればよく、多様なファンを選択することができる。また、ファン３により排気された空気をジャケット２の襟首から排出する送風路を構成としたが、ジャケット２に特別な排気穴を設けることもできる。
＜第二実施形態＞
【００３５】
本考案の第二実施形態を、図４を用いて説明する。図４(ａ)は、第二実施形態のファンの分解斜視図であり、同図(ｂ)は、同ファンを被服に取り付けた際の断面図である。第二実施形態で特に言及するもの以外は、第一実施形態と同じであるため、説明を省略する。
【００３６】
図４(ａ)に示すように、本実施形態のファン13は、第一実施形態と同様の構造を有するファン本体13Ｘにおいて、下端の空気取入口13ａに給気フード13Ａを螺合して取り付け、上端の空気排出口13ｂに排気フード13Ｂを螺合して取り付けている。直径４cm、高さ４cm程度のファン本体13Ｘに対して、給気フード13Ａ、排気フード13Ｂのそれぞれも４cm程度の高さを有し、全体を組み上げた場合に、全高は11cm程度となる。
【００３７】
図４(ｂ)に示すように、給気フード13Ａ及び排気フード13Ｂは、いずれも径が変わらないストレートな円筒形状を有し、本実施形態の場合、両者は同一の部品が用いられる。
【００３８】
ジャケット２のファン取付穴にファン本体13Ｘの下端を取り付け、さらに、ジャケット２の背中２ａに縫製されているベルト２ｉをファン本体13Ｘの側面に掛け渡すことで、固定具としてファン13を上下に起立させた状態で保持する。
【００３９】
また、給気フード13Ａの下端には、フランジ13Ｃ1を有する、格子付の固定リング13Ｃを螺合して取り付ける（図４において、格子は省略されている）。この際、両者のフランジ13Ａ1、13Ｃ1の間に、ジャケット２の取付穴周縁を挟み込むことで、ファン13をジャケット２に固定する。
【００４０】
この状態で、ファン本体13Ｘ内のモータ13ｄを駆動し羽根13ｅを回転させると、給気フード13Ａを介してジャケット２の外側の空気が取り込まれ、排気フード13Ｂを介してジャケット２内に空気が排気される。この際、流入する空気は、給気フード13Ａの直線状のトンネルを抜けることで、直進性を獲得し、ファン13からジャケット２の襟首２ｄに向けて排気される。
【００４１】
また、同様に、排気される空気は、給気フード13Ａの直線状のトンネルを抜けることで、速度を増して、ジャケット２の肩方向への直線状の気流を造り出すことができる。
＜第三実施形態＞
【００４２】
本考案の第二実施形態を、図５を用いて説明する。図５は、第三実施形態のファンを被服に取り付けた際の断面図である。第三実施形態で特に言及するもの以外は、第二実施形態と同じであるため、説明を省略する。
【００４３】
ファン23は、第二実施形態のファン13と同様に、ファン本体13Ｘ下端の空気取入口13ａに給気フード23Aを取り付け、上端の空気排出口13ｂに排気フード23Bを取り付ける構造となっている。
【００４４】
本実施形態の排気フード23Ｂは、その上端23Ｂ１がファン本体13Ｘの空気排出口13ｂの面積より大きくなり、上方に広がったテーパー形状を有する。そして、排気フード23Ｂの内面には、断面階段状の凹凸により渦発生面23Ｂ2が形成されている。また、排気フード23Ｂのテーパー形状の広がり角度θは、４°前後に設定されている。排気フード23Ｂのテーパー状のトンネルを抜ける際に、排気フード23Ｂの内面の渦発生面23Ｂ2により、気流の外周面に渦が発生させて、ジャケット２の襟部２ｄにより背中全体に広がりを持って、より大きな空気を運ぶことができる。
【００４５】
給気フード23Ａは、給気フード23Ａはジャケット２の背中２ｂに向けて開口するように湾曲している。そして、ファン23は、第二実施形態と同じ固定リング13Cを有し、ジャケット２の取付穴を給気フード23Ａのフランジ23Ａ1と固定リング13Ｂのフランジ13C1で挟み込んでジャケット２に固定する構造となっている。本実施形態の給気フード23Ａが湾曲したことにより、給気フード23Ａが排気の直進性には寄与しないが、送風装置23をジャケット２の背中面により自然になじませることができ、作業性を良好にすることができる。
＜ファンの固定具のバリエーション＞
【００４６】
図６を用いて、ファンの固定具のバリエーションを説明する。いずれも、拘束布とテンションベルトを用いず、軽量プラスチック等で形成された硬質の固定具たるファンのブラケットである。
【００４７】
図６(ａ)に示すブラケット14は、左右のファン３、３を独立して固定するブラケットである。同ブラケット14は、ファン３の下端を固定するための穴を有する底面部14ａと、装着者側の立設部14ｂとが直角になった、プラスチック製のものである。
【００４８】
装着者がジャケット２を着ると、立設部14ｂが装着者の背中面に並行に当たり、底面部14ａが水平に保たれるので、この底面部14ａに下端を取り付けるファン３は起立し、ジャケット２内に形成される送風路に一致する方向に送風を行うことができる。
【００４９】
図６(ｂ)に示す固定具24は、左右のファン３，３をその下端で連結するブレード型のブラケットである。同固定具24は、連結部となる、板状の本体24ａに左右端に、固定部となる、ファン取付け用穴24ｃを成型したものである。そして、本体24の、装着者と反対方向のエッジ24ｂはファン取付け用穴24ｃ、24ｃの外側を廻り、両者間が括れた湾曲形状を有し、ジャケット２の下端に熱溶着等により気密を保った状態で固定される。
【００５０】
それぞれのファン取付け用穴24ｃにファン３を取り付けると、本体24ａの左右両側にファン３，３が立ち上がることになり、装着者がジャケット２を着ると、ファン３，３の側面が装着者の背中面に並行に当たり、ファン３、３は上下に起立することになる。
【００５１】
図６(ｃ)に示すブラケット34は、同図(ｂ)の簡易型の固定部である、円筒状ファン固定用のソケット部34ａ、34ａを、連結部である、ブリッジ部34ｂで連結したものである。それぞれのソケット部34ａのファン取付け用穴34ｃにファン３をはめ込むとにより、ブリッジ34ｂ両側にファン３、３が上下方向に起立することになる。
【００５２】
この状態で、装着者がベルト等によりこの固定具34を腰に装着することで、ファン３，３の側面が装着者の背中面に並行にあたり、ファン３、３は起立することになる。そして、装着者がジャケット２を着ることで、装着者の背中とジャケット２の背部内面との間に形成される送風路に沿う方向に送風を行うことができる。
【００５３】
図６(ｃ)に示す固定具34は、ジャケット２側に固定されないので、ジャケット２の下端に隙間が生じてしまうが、同固定具34を単独で装着し、その上から通常のジャケット２を羽織ることで、簡易型の空調被服を提供することができる。
【００５４】
なお、図４においては、２つのファンを左右に装着する固定具を説明したが、３つ以上のファンを固定、位置決めする構造としてもよい。
【００５５】
以上説明したように、本考案の実施形態の空調被服もしくは送風装置の固定具によれば、容易にかつ確実に左右のファンを上下方向に起立させることができ、ジャケットと装着者の背中面との間に形成される送風路と一致させる方向に送風を行うことができ、効率よくジャケット内の冷却を行うことができる。
【符号の説明】
【００５６】
１    空調被服
２    ジャケット(被服)
２ａ  背部
２ｄ  襟首
２ｉ  ベルト(固定具)
３、13、23    ファン
３ｄ  電動モータ(駆動部)
３ｅ  羽根
３ｘ  回転軸
４    ファン固定具
５    留め具
６    保水シート
７    送風路
13A、23A    給気フード
13B、23B    排気フード
14     ブラケット(固定具)
24     ブラケット(固定具)
24ａ  本体(連結部)
24ｃ  ファン取付け用穴(固定部)
34     ブラケット
34ａ  ソケット部(固定部)
34ｂ  ブリッジ部(連結部)
【図１】
0003214787.tif 000003
【図２】
0003214787.tif 000004
【図３】
0003214787.tif 000005
【図４】
0003214787.tif 000006
【図５】
0003214787.tif 000007
【図６】
0003214787.tif 000008
【手続補正書】
【提出日】平成29年12月1日(2017.12.1)
【手続補正１】
【補正対象書類名】実用新案登録請求の範囲
【補正対象項目名】請求項１１
【補正方法】変更
【補正の内容】
【請求項１１】
前記送風装置のブラケットは、複数の前記固定部を左右方向に連結する連結部をさらに有することを特徴とする請求項10記載の送風装置のブラケット。